(57)【特許請求の範囲】
【請求項１】
商品を載置する陳列面を有する下段陳列部と、該下段陳列部の後端から上方に起立する
下段背板部と、該下段陳列部の裏面及び該下段背板部の裏面に亘り連続するＬ字形断面の
下段補強板挿入部とを備える下段部材と、
商品を載置する陳列面を有する上段陳列部と、該上段陳列部の後端から下方に延出する
上段背板部と、該上段陳列部の裏面及び該上段背板部の裏面に亘り連続するＬ字形断面の
上段補強板挿入部とを備える上段部材と、
側面視が略コ字形状の金属製の補強板との組み付け体であって、
該下段背板部上に該上段背板部を載置し又は係止して片持ち状の商品陳列本体部を形成
し、
該上段補強板挿入部と該下段補強板挿入部で形成される略コ字断面形状の補強板挿入部
に、該金属製の補強板を挿入して補強されたものであることを特徴とする片持ち商品陳列
台。
【請求項２】
該下段背板部の上端面には、下段係止部が形成され、該上段背板部の下端面には、上段
係止部が形成され、該下段係止部と該上段係止部が係止してなることを特徴とする請求項
１記載の片持ち商品陳列台。
【請求項３】
該補強板は、該補強板挿入部に、後方側から前方側へ押し込むことで挿入されることを
特徴とする請求項１又は２記載の片持ち商品陳列台。
【請求項４】
該補強板挿入部は、後方が開口し、壁部で囲まれたものであり、上方壁部と下方壁部には、該補強板と壁面との摩擦抵抗を低減し、挿入を容易にするための、少なくとも１つの貫通孔が形成されていることを特徴とする請求項１〜３記載の片持ち商品陳列台。
【請求項５】
該補強板挿入部は、後方が開口し、壁部で囲まれたものであり、左壁部と右壁部には、該補強板と壁面との摩擦抵抗を低減し、挿入を容易にするための、少なくとも１つの貫通孔が形成されていることを特徴とする請求項１〜３記載の片持ち商品陳列台。
【請求項６】
該補強板の中、上下一対の水平部の先端部には、左右方向に貫通する係止用の貫通孔が
形成されていることを特徴とする請求項１〜５記載の片持ち商品陳列台。
【請求項７】
該上段陳列部の裏面又は該下段陳列部の裏面に対応する補強板挿入部の左右両壁のいず
れか一方の壁に、切欠き又は貫通孔を形成することで前後方向に延びる弾性の帯部を形成
し、該帯部の内側に該係止用の貫通孔に嵌る抜け止め用突起を形成したことを特徴とする請求項６記載の片持ち商品陳列台。
【請求項８】
該上段陳列部の天面には、平面視が碁盤目状の溝が形成されていることを特徴とする請
求項１〜７のいずれか１項に記載の片持ち商品陳列台。
【請求項９】
該下段陳列部及び該上段陳列部の厚みが８〜１５ｍｍであることを特徴とする請求項１
〜８のいずれか１項に記載の片持ち商品陳列台。
【請求項１０】
該下段陳列部の上面の前方縁部及び左右縁部には、商品転落防止板を設置するための３方向に連続する上方開口の周溝が形成されていることを特徴とする請求項１〜９のいずれか１項に記載の片持ち商品陳列台。
【請求項１１】
該上段陳列部の上面の縁部には、商品転落防止板を設置するための上方開口の周回溝が形成されていることを特徴とする請求項１〜１０のいずれか１項に記載の片持ち商品陳列台。
【発明の詳細な説明】
【技術分野】
【０００１】
本発明は、スーパー、量販店等において、陳列部の厚みが薄くとも高い強度を有するペットボトル等の陳列に好適な片持ち商品陳列台に関するものである。
【背景技術】
【０００２】
片持ち状の商品陳列台は、複数台を横並び、背中合わせ、積み重ねあるいはこれらを組み合わせて使用すれば、種々の陳列形態を演出でき都合がよい。
【０００３】
実用新案登録３１８９７５４号には、商品を載置する板状の下段陳列部と、該下段陳列部の後端から上方に起立する背板部と、該背板部の上端から前方に延びる商品を載置する上段陳列部を有する片持ちの陳列台であって、該下段陳列部の陳列面の奥行き寸法（Ｗ１）と、該上段陳列部の後端から前方に延びる陳列面の奥行き寸法（Ｗ２）が同じであり、側面視において、該下段陳列部の裏面と該背板部の裏面とは、直角に交わり、該背板部の裏面と該上段陳列部の上面とは、直角に交わることを特徴とする商品陳列台が開示されている。この商品陳列装置によれば、従来の雛壇状の陳列棚の陳列面に対して、約１．６倍の奥行き長さを有する陳列面が形成できる。このため、玉葱やじゃがいも等の丸物商品の多量陳列に好適であるというものである。
【先行技術文献】
【特許文献】
【０００４】
【特許文献１】実用新案登録３１８９７５４号（請求項１）
【発明の概要】
【発明が解決しようとする課題】
【０００５】
しかしながら、実用新案登録３１８９７５４号の片持ち商品陳列台は、片持ちであるため、強度の観点から、上段陳列部は厚みが大である共に、特に鉛直部側に向けて厚みが更に大となっている。このため、下段陳列部の陳列面に載せる商品の高さが制限されるという問題がある。また、製造工場からスーパーなどのお店に搬送する際、搬送スペースを採ってしまうという問題がある。
【０００６】
従って、本発明の目的は、陳列部の厚みが薄くとも高い強度を有するペットボトル等の陳列に好適であり、搬送スペースを採らない片持ち商品陳列台を提供することにある。  
【０００７】
すなわち、本発明は、上記従来の課題を解決するものであり、商品を載置する陳列面を有する下段陳列部と、該下段陳列部の後端から上方に起立する下段背板部と、該下段陳列部の裏面及び該下段背板部の裏面に亘り連続するＬ字形断面の下段補強板挿入部とを備える下段部材と、商品を載置する陳列面を有する上段陳列部と、該上段陳列部の後端から下方に延出する上段背板部と、該上段陳列部の裏面及び該上段背板部の裏面に亘り連続するＬ字形断面の上段補強板挿入部とを備える上段部材と、側面視が略コ字形状の金属製の補強板との組み付け体であって、該下段背板部上に該上段背板部を載置し又は係止して片持ち状の商品陳列本体部を形成し、該上段補強板挿入部と該下段補強板挿入部で形成される略コ字断面形状の補強板挿入部に、該金属製の補強板を挿入して補強されたものであることを特徴とする片持ち商品陳列台を提供するものである。
【０００８】
また、本発明は、該下段背板部の上端面には、下段係止部が形成され、該上段背板部の下端面には、上段係止部が形成され、該下段係止部と該上段係止部が係止してなることを特徴とする前記片持ち商品陳列台を提供するものである。
【０００９】
また、本発明は、該補強板は、該補強板挿入部に、後方側から前方側へ押し込むことで挿入されることを特徴とする前記片持ち商品陳列台を提供することにある。
【００１０】
また、本発明は、該補強板挿入部は、後方が開口し、壁部で囲まれたものであり、上方壁部と下方壁部には、少なくとも１つの貫通孔が形成されていることを特徴とする前記片持ち商品陳列台を提供することにある。
【００１１】
また、本発明は、該補強板挿入部は、後方が開口し、壁部で囲まれたものであり、左壁部と右壁部には、少なくとも１つの貫通孔が形成されていることを特徴とする前記片持ち商品陳列台を提供するものである。
【００１２】
また、本発明は、該補強板の中、上下一対の水平部の先端部には、左右方向に貫通する係止用の貫通孔が形成されていることを特徴とする前記片持ち商品陳列台を提供するものである。
【００１３】
また、本発明は、該上段陳列部の裏面又は該下段陳列部の裏面に対応する補強板挿入部の左右両壁のいずれか一方の壁に、切欠き又は貫通孔を形成することで前後方向に延びる弾性の帯部を形成し、該帯部の内側に該貫通孔に嵌る抜け止め用突起を形成したことを特徴とする前記片持ち商品陳列台を提供するものである。
【００１４】
また、本発明は、該上段陳列部の天面には、平面視が碁盤目状の溝が形成されていることを特徴とする前記片持ち商品陳列台を提供するものである。
【００１５】
また、本発明は、該下段陳列部及び該上段陳列部の厚みが８〜１５ｍｍであることを特徴とする前記片持ち商品陳列台を提供するものである。
【００１６】
また、本発明は、該下段陳列部の上面の前方縁部及び左右縁部には、３方向に連続する上方開口の周溝が形成されていることを特徴とする前記片持ち商品陳列台を提供するものである。
【００１７】
また、本発明は、該上段陳列部の上面の縁部には、上方開口の周回溝が形成されていることを特徴とする前記片持ち商品陳列台を提供するものである。
【発明の効果】
【００１８】
本発明によれば、商品陳列本体部は、片持ち状であっても金属製の補強板で補強されているため、陳列部の厚みを薄くできる。このため、下段陳列部の上面に載せる商品に圧迫感がなく、陳列の演出を高めることができる。また、商品陳列本体部は、上下２分割して２つの背の低いＬ字構造部材とすることができ、製造工場からスーパーなどのお店に搬送する際、搬送スペースを採らない。
【図面の簡単な説明】
【００１９】
【図１】本発明の第１の実施の形態における片持ち商品陳列台の斜視図である。
【図２】図１の片持ち商品陳列台の他の斜視図である。
【図３】図１の片持ち商品陳列台の他の斜視図である。
【図４】図１の片持ち商品陳列台の一部を分解した斜視図である。
【図５】図１の片持ち商品陳列台の分解斜視図である。
【図６】（Ａ）は補強板を補強板挿入部に挿入する前の説明図であり、（Ｂ）は挿入途中の説明図であり、（Ｃ）は挿入後の説明図である。
【図７】図６（Ｂ）の断面図である。
【図８】図６（Ｃ）の断面図である。
【図９】本発明の第３の実施の形態における片持ち商品陳列台の分解斜視図である。
【図１０】図９の片持ち商品陳列台の組立途中の斜視図である。
【図１１】図９の片持ち商品陳列台の一部を拡大して示す平面図である。
【図１２】図１１のＡ−Ａ線に沿って見た図である。
【図１３】図１１のＢ−Ｂ線に沿って見た図である。
【図１４】図９の片持ち商品陳列台の使用状態図である。
【発明を実施するための形態】
【００２０】
次に、本発明の第１の実施の形態における片持ち商品陳列台を図１〜図５を参照して説明する。本明細書中、「上」、「下」及び「左右」は設置状態における正面（図１中、符号Ｘ方向）から見た位置又は方向である。片持ち商品陳列台１０は、樹脂製の下段部材２と樹脂製の上段部材１と金属製の補強板３を組み付けたものである。下段部材２は、商品を載置する陳列面２１１を有する下段陳列部２１と、下段陳列部２１の後端から上方に起立する下段背板部２２とを備える。下段部材２は、背の低い側面視がＬ字形状の部材である。下段陳列部２１の上面の陳列面２１１は商品が載置される部分であり、本例では後方に下段補強板挿入部２３の一部が表れている。下段背板部２２は、片持ち商品陳列台１０の背板部の一部（下段）を形成するものであり、上端面には、上段部材１と係合する下段係止部４を有している。下段背板部２２の厚み（前後方向の長さ）は、３０〜５０ｍｍ程度でよい。下段係止部４は、本例では、左右方向に４つの凹状係止部４ａ〜４ｄが所定の間隔で離間して形成されている。凹状係止部４ａ〜４ｄは、略逆Ｔ字形状の係合溝であり、前方が壁になっており、上段部材１の凸状の係合突起５が後方から挿入されて係合を完了する。
【００２１】
下段部材２は、下段陳列部２１の裏面及び下段背板部２２の裏面に亘り連続するＬ字形断面の下段補強板挿入部２３を有する。下段補強板挿入部２３は、上段補強板挿入部１３と一体になって、コ字形断面の補強板挿入部３Ａを形成するものであり、本例では、左右方向に所定の間隔で離間した２箇所に形成している（符号２３ａ、２３ｂ）。すなわち、下段補強板挿入部２３ａ、２３ｂは、下段陳列部２１の裏面に形成される部分（符号２３１）が、金属製の補強板３の下方水平部３１ａ、３１ｂを覆う上下及び左右の４側板（側壁）を有するケース状であり（図６参照）、下段背板部２２の裏面に形成される部分（符号２３２）が、後方挿入開口と、金属製の補強板３の下方鉛直部を覆う前方及び左右の３側板を有するケース状である。下段補強板挿入部２３の下方側には、前後方向に少し切り欠いた切り欠き部６２ａ、６２ｂを形成している（図５参照）。これにより、挿入された補強板３が一部露出するため、分解時などの引き出しが容易となる。下段補強板挿入部２３は、下段陳列部２１の厚み内及び下段背板部２２の厚み内に形成されている。片持ち商品陳列台１０において、下段陳列部２１の厚みは、８〜１５ｍｍ、好ましくは９〜１３ｍｍである。片持ち商品陳列台１０において、下段陳列部２１や上段陳列部１１の厚みが薄いものであっても、金属製の補強板３が内包されており、重量物の商品であっても、強度を維持することができる。下段背板部２２の裏面に形成される下段補強板挿入部２３の上方部であって、且つ２つの両側板の一方の側板には、前後方向に切り込みが入った弾性係止片６ａ、６ｂが形成されている。また、弾性係止片６ａ、６ｂの後方縁で且つ内側面には突起６１が形成されている。これにより、弾性係止片６ａ、６ｂは金属製の補強板３が挿入されて、外側に押されて撓み、補強板３の挿入後は、補強板３の後端を弾性係止片６ａ、６ｂの突起６１が係止することになる。
【００２２】
上段部材１は、側面視が逆さＬ字形状の高さの低い部材である。上段陳列部１１の上面の陳列面１１１は商品が載置される部分である。上段陳列部１１と下段陳列部２１は、略同じ大きさであり、外観形状も同じであり、片持ち商品陳列台１０を形成した際、前後方向における先端位置は略一致する。上段背板部１２は、片持ち商品陳列台１０の背板部の一部（上段）を形成するものであり、下端面には、下段部材２と係止する上段係止部５を有している。上段係止部５は、本例では、左右方向に４つの凸状係止部５ａ〜５ｄが所定の間隔で離間して形成されている。凸状係止部５ａ〜５ｄは、略逆Ｔ字形状の係合突起であり、下段部材２の凹状の係止部４ａ〜４ｄに後方から前方へ押し込み、挿入することで係合を完了する。上段背板部１２の高さは、下段背板部２２の高さと略同じでよい。
【００２３】
上段部材１は、上段陳列部１１の裏面及び上段背板部１２の裏面に亘り連続するＬ字形断面の上段補強板挿入部１３を有する。上段補強板挿入部１３は、下段補強板挿入部２３と一体になって、コ字形断面の補強板挿入部３Ａを形成するものであり、本例では、左右方向に所定の間隔で離間した２箇所であって、下段補強板挿入部２３と対応する位置に形成されている。すなわち、上段補強板挿入部１３ａ、１３ｂは、上段陳列部１１の裏面に形成される部分（符号１３１ａ、１３１ｂ）が、金属製の補強板３の上方水平部３３を覆う上下及び左右の４側板を有するケース状であり、上段背板部１２の裏面に形成される部分（符号１３２ａ、１３２ｂ）が、後方挿入開口と、金属製の補強板３の上方鉛直部を覆う前方及び左右の３側板を有するケース状である。上段補強板挿入部１３の上方側には、前後方向に少し切り欠いた切り欠き部５２ａ、５２ｂを形成している（図５参照）。これにより、挿入された補強板３が一部露出するため、分解時などの引き出しが容易となる。上段補強板挿入部１３は、上段陳列部１１の厚み内及び上段背板部１２の厚み内に形成されている。片持ち商品陳列台１０において、上段陳列部１１の厚みは、８〜１５ｍｍ、好ましくは９〜１３ｍｍである。片持ち商品陳列台１０において、上段陳列部１１や下段陳列部２１の厚みが薄いものであっても、金属製の補強板３が内包されており、重量物の商品であっても、強度を維持することができる。上段背板部１２の裏面に形成される上段補強板挿入部１３の下方部であって、且つ２つの両側板の一方の側板には、前後方向に切り込みが入った弾性係止片７ａ、７ｂが形成されている。また、弾性係止片７ａ、７ｂの後方縁で且つ内側面には突起７１が形成されている。これにより、弾性係止片７ａ、７ｂは金属製の補強板３が挿入されて、外側に押されて撓み、補強板３の挿入後は、補強板３の後端を弾性係止片６の突起が係止することになる。上段陳列部１１、上段背板部１２、下段陳列部２１及び下段背板部２２は、所定の厚みを有し、その裏面はくり抜き状であり、縦板や横板によるリブ構造となっている。
【００２４】
補強板３は、側面視が略コ字形状で、厚さ２〜５ｍｍ程度の金属製の薄板であり、本例ではそれぞれの補強板挿入部３Ａ、３Ｂにそれぞれ１枚、使用する。補強板３は、補強板挿入部３Ａ、３Ｂに、後方側から前方側へ押し込むことで挿入されて、片持ち状の商品陳列本体部１Ａを補強する。本例の補強板３は、コ字形状を構成する鉛直部材３２の上下方向の中央部において、前後方向に少し切り欠かれた切り欠き部３４を有している。切り欠き部３４に商品陳列本体部１Ａの弾性係止片６（６ａ、６ｂ）、７（７ａ、７ｂ）が係止して、補強板３の後方への脱落を防止している。
【００２５】
片持ち商品陳列台１０は、図５に示すように、下段部材２と、上段部材１と、２枚の補強板３ａ、３ｂを組み付けてなるものである。すなわち、下段部材２の下段陳列部２１を載置面に接するようにセットし、次いで、上段部材１を持ち上げ、下段部材２の上方に位置させ、下段部材２の下段背板部２２の上端面と、上段部材１の上段背板部１２の下端面とを対峙させる。次いで、上段部材１の凸状係止部５ａ〜５ｄと、下段部材２の凹状係止部４ａ〜４ｄを係止又は係合させて片持ち状の商品陳列本体部１Ａを形成する。片持ち状の商品陳列本体部１Ａは、所定厚みの底板に相当する下段陳列部２１、下段陳列部２１の後端から起立状で所定厚み、所定高さの背板部１２、２２及び背板部１２、２２の上端から水平方向に延びる天板に相当する上段陳列部１１からなる。片持ち状の商品陳列本体部１Ａにおいて、下段部材２の下段補強板挿入部２３の上端は開口しており、上段部材１の上段補強板挿入部１３の下端は開口している。このため、下段補強板挿入部２３と上段補強板挿入部１３は挿入部が連続している。次に、略コ字断面形状の補強板挿入部３Ａ、３Ｂに対して、金属製の補強板３ａ、３ｂを後方側から前方側へ押し込むことで挿入される。補強板３を強く押し込めば、補強板挿入部１３、２３の鉛直部に形成された弾性係止片６、７が外側に押されて撓み、補強板３の挿入後は、補強板３の後端を弾性係止片６、７の突起６１、７１が係止することになる。
【００２６】
第１の実施の形態例における片持ち商品陳列台１０によれば、商品陳列本体部１Ａは、金属製の補強板３で補強されているため、片持ち状でありながら強度が高められている。このため、スーパー等において多量のペットボトル等、重量物の陳列に好適である。また、商品陳列本体部１Ａは、補強板３を引き抜き、上下２分割に分離して２つの背の低いＬ字構造部材とすることができ、製造工場からスーパーなどのお店に搬送する際、搬送スペースを採らない。
【００２７】
次に、本発明の第２の実施の形態における片持ち商品陳列台を図６〜図８を参照して説明する。図６〜図８は、判り易いように、補強板挿入部と補強板のみを示した図である。図６〜図８において、図１〜図５と同一構成要素には同一符号を付して、その説明を省略し、異なる点について主に説明する。すなわち、図６〜図８の補強板挿入部３Ｃ及び補強板３ａにおいて、図１〜図５の補強板挿入部３Ａ、３Ｂ及び補強板３と異なる点は、補強板３ａの上方水平部３３と下方水平部３１の先端近傍にそれぞれ、横方向に貫通する係止貫通孔３３１、３１１を形成したこと、及び補強板挿入部３Ｃの上方水平部１３１ａ、１３１ｂの上下壁部と下方水平部２３１ａ、２３１ｂの上下壁部であって、且つその先端近傍にそれぞれ、上下方向に貫通する貫通孔１３４、１３４、２３４、２３４を形成し、更に、貫通孔１３４、２３４に対応する位置であって、且つ補強板挿入部３Ｃの上方水平部１３１ａ、１３１ｂの一方の側壁部と下方水平部２３１ａ、２３１ｂの一方の側壁部に、補強板３の係止貫通孔３３１、３１１に係止する係止突起１３３、２３３を形成したことにある（図７及び図８参照）。なお、補強板挿入部３Ｃの貫通孔１３４、２３４は、下段陳列部２１及び上段陳列部１１の上面に表れるものの、商品の陳列に支障をきたすことはない。
【００２８】
第２の実施の形態における片持ち商品陳列台において、補強板３ａを補強板挿入部１３、２３に挿入する方法を、図６〜図８を参照して説明する。先ず、金属製の補強板３ａの上方水平部３３と下方水平部３１が、補強板挿入部３Ｃのそれぞれの対応する部分に挿入される（図６（Ｂ））。補強板挿入部３Ｃは、後方が開口し、周囲四方向、又は周囲四方と前方が壁部で囲まれたものであり、補強板３ａと周囲四方向の壁部間には隙間がないことが、補強板３の補強効果が発現できる点で好ましい。また、補強板挿入部３Ｃを形成する周囲四方向の壁部の中、上方壁部と下方壁部には、少なくとも１つの貫通孔を形成することが好ましく、貫通孔を上方壁部と下方壁部に前後方向において互い違い（千鳥状）に形成することが更に好ましい。本例では、上方壁部と下方壁部に、それぞれ１つの貫通孔１３４、１３４、２３４、２３４が形成されている。このような貫通孔１３４、２３４は、補強板３ａと周囲四方向の壁面との摩擦抵抗を低減し、挿入を容易にする。また、補強板挿入部３Ｃを形成する周囲四方向の壁部の中、左壁部と右壁部には、少なくとも１つの貫通孔を形成することが好ましく、貫通孔を左壁部と右壁部に前後方向において互い違い（千鳥状）に形成することが更に好ましい。このような貫通孔は、補強板３ａと周囲四方向の壁部との摩擦抵抗を低減し、挿入を容易にする。最後に補強板３ａを強く押し込めば、補強板３ａの係止貫通孔３３１、３１１は、補強板挿入部３Ｃの係止突起１３３、２３３に係止すると共に、補強板挿入部３Ｃの鉛直部に形成された弾性係止片６、７が外側に押されて撓み、補強板３ａの挿入後は、補強板３ａの後端を弾性係止片６、７の突起が係止することになる（図６（Ｃ））。これにより、補強板３ａは補強板挿入部３Ｃから外れることがない。第２の実施の形態における片持ち商品陳列台においても、第１の実施の形態における片持ち商品陳列台１０と同様の効果を奏する他、補強板の挿入が容易となり、且つ補強板が外れ難くなる。
【００２９】
次に、本発明の第３の実施の形態における片持ち商品陳列台を図９及び図１０を参照し
て説明する。図９及び図１０において、図１〜図８と同一構成要素には同一符号を付して
、その説明を省略し、異なる点について主に説明する。すなわち、図９及び図１０の片持
ち商品陳列台１０ａにおいて、図１〜図８の片持ち商品陳列台と異なる点は、補強板、補
強板挿入部及び上段陳列部１１の天面である。すなわち、補強板３ｃ、３ｄにおいて、角
部及び鉛直部には、貫通孔３５ａ〜３５ｄが形成され、軽量化が図られている。また、上
段陳列部１１の裏面又は下段陳列部２１の裏面に対応する補強板挿入部３Ｄにおいて、上
方壁部及び下方壁部には、前後方向に互いに交互に、すなわち千鳥状に貫通孔２３５が形
成され、更に先端近傍には、左右両壁のいずれか一方の壁に、切欠き又は貫通孔、本例で
は貫通孔３３１を形成することで前後方向に延びる弾性の帯部２３７を形成し、帯部２３
７の内側に貫通孔３３１に嵌る抜け止め用突起１３３を形成している。千鳥状に貫通孔２
３５を形成することにより、補強板３ｃ、３ｄの挿入が一層、容易になる。また、内側に
抜け止め用突起１３３を付設した弾性の帯部２３７を形成することで、補強板３ｃ、３ｄ
が補強板挿入部３Ｄに挿入されると、補強板３ｃ、３ｄの先端が抜け止め用突起１３３に
当たり、補強板３ｃ、３ｄは弾性の帯部２３７を外側に押しやり変形させつつ挿入される
。次いで、補強板３ｃ、３ｄの先端貫通孔３３１と抜け止め用突起１３３が嵌まり、帯部
２３７が復元して係止する。これにより、補強板３ｃ、３ｄは、外れ難くなる。
【００３０】
片持ち商品陳列台１０ａにおいて、上段陳列部１１の天面には、平面視で碁盤目状の溝が形成されている。これにより、複数個の片持ち商品陳列台１０ａを積み重ねて使用する際、安定した固定ができる。なお、碁盤目の溝の内、縦溝１１２は補強板挿入部３Ｄと対応する位置にあるため、補強板挿入部３Ｄの上方壁に形成された貫通孔２３５は縦溝１１２の溝底に表れている。第３の実施の形態における片持ち商品陳列台においても、第１の実施の形態における片持ち商品陳列台１０と同様の効果を奏する他、補強板の挿入が容易となり、且つ補強板が外れ難くなる。また、積み重ね陳列の際、固定が安定する。
【００３１】
本発明の片持ち商品陳列台は、上記実施の形態例に限定されず、種々の変形を採ることができる。すなわち、片持ち商品陳列台の幅寸法、奥行寸法及び高さ寸法は、図１〜図１０のものに限定されず、適宜決定される。補強板の数、すなわち補強板挿入部の設置数は２つに限定されず、３つ又は４つであってもよい。設置数が多いと強度が高まるものの、過度な重量構造となり、組立に時間がかかる。また、補強板挿入部の上下水平部の先端は、先端壁に限定されず、先端開口でもよい。下段部材２と上段部材１の係止は、上記係止構造に限定されず、スライドによる公知の係止構造を採ることができる。また、本発明の片持ち商品陳列台は、複数個を隣接、背中合わせ、積み重ねなどにより、大掛かりな陳列面を演出してもよい（図１３）。
【００３２】
本発明の片持ち商品陳列台において、下段陳列部の上面の前方縁部及び左右縁部に、３方向に連続する上方開口の周溝を形成してもよい。この周溝に商品転落防止板を設置すれば、下段陳列部に載せられた商品を安定して陳列できる。また、上段陳列部の上面の縁部に、上方開口の周回溝を形成してもよい。この周回溝に商品転落防止板を設置すれば、上段陳列部に載せられた商品を安定して陳列できる。
【００３３】
本発明の片持ち商品陳列台は、比較的小型のものが好ましく、全体高さ、左右幅及び奥行は２８０〜３５０ｍｍ程度、特に３００ｍｍ程度でよく、全体高さ、左右幅及び奥行全てが同じ寸法であることが、複数配列において種々の陳列形態を形成できる点で好ましい。このため、設置は床面への直置きは好適ではなく、所定高さの基台に設置することが好ましい。
【産業上の利用可能性】
【００３４】
本発明によれば、片持ち状であっても金属製の補強板で補強されているため、陳列部の厚みを薄くできる。このため、下段陳列部の上面に載せる商品に圧迫感がなく、陳列の演出を高めることができる。また、補強板を外し、上下２分割して２つの背の低いＬ字構造部材に分解でき、製造工場から使用場所への搬送や不使用時の保管庫への移動の際、スペースを採らない。
【符号の説明】
【００３５】
１    上段部材
２    下段部材
３、３ａ〜３ｄ    金属製の補強板
３Ａ〜３Ｄ    補強板挿入部
４    下段係止部
４ａ〜４ｄ      凹状係止部
５    上段係合突起
１０、１０ａ    片持ち商品陳列台
１３（１３ａ、１３ｂ）    上段補強板挿入部
２１    下段陳列部
２２    下段背板部
２３（２３ａ、２３ｂ）    下段補強板挿入部
【図１】
0006533658.tif 000002
【図２】
0006533658.tif 000003
【図３】
0006533658.tif 000004
【図４】
0006533658.tif 000005
【図５】
0006533658.tif 000006
【図６】
0006533658.tif 000007
【図７】
0006533658.tif 000008
【図８】
0006533658.tif 000009
【図９】
0006533658.tif 000010
【図１０】
0006533658.tif 000011
【図１１】
0006533658.tif 000012
【図１２】
0006533658.tif 000013
【図１３】
0006533658.tif 000014
【図１４】
0006533658.tif 000015